(57)【特許請求の範囲】
【請求項１】
ストレーナ本体内に流入口を有する原水室と流出口を有する濾過室とを区画した仕切板に多数の連通孔を同心円上に等間隔に形成し、これらの連通孔に上端を閉塞した縦横比が１０以上の細長形状で細径筒状の濾過エレメントの下部開口部を連通させた状態で前記濾過エレメントを前記濾過室内に多数本立設固定し、前記濾過エレメントは、断面三角形状の底辺を内周に位置させた状態のウェッジワイヤを濾過エレメントの長さ方向に沿って縦方向に濾過隙間を介して並設した状態で細長円筒状に構成し、前記濾過エレメント内には、前記下部開口部に向って先細り形状に形成した長尺状の細径円錐体の上端を濾過エレメントの上端閉塞部に吊下させた状態で内蔵し、前記細径円錐体の下部端部は、前記濾過エレメントの下部開口部より上方領域に配置すると共に、前記原水室に逆洗アームを回動自在に設け、この逆洗アームの取出口を前記連通口に連通させた状態で逆洗アームをストレーナ本体に設けた排出口に連通させ、前記濾過室と前記濾過エレメント内との差圧により濾過エレメントの長さ方向に亘って逆洗力を保持するようにしたことを特徴とするバラスト水処理用多筒型自動逆洗式ストレーナ。
【請求項２】
前記細径円錐体は、樹脂、木材或いは金属製である請求項１に記載のバラスト水処理用多筒型自動逆洗式ストレーナ。
【請求項３】
前記濾過エレメントの内外周囲の何れか一方に保持材で固着して前記濾過エレメントを円筒状に保持した請求項１又は２に記載のバラスト水処理用多筒型自動逆洗式ストレーナ。
【発明の詳細な説明】
【技術分野】
【０００１】
本発明は、種々の異物を含んだ液体中から異物を除去する多筒型自動逆洗式ストレーナに関し、特に、例えば、船舶のバラストタンク内に供給されるバラスト水に含まれる生物や不純物等の異物を濾過するための船舶用バラスト水処理に好適な多筒型自動逆洗式ストレーナに関する。
【背景技術】
【０００２】
通常、この種の多筒型ストレーナは、ストレーナ内に複数の円筒形状の濾過エレメントを配置し、小型で濾過能力を有するため、バラスト水処理などに用いられている。殊に、多筒型逆洗ストレーナは、多数の濾過エレメントをストレーナ内に配置することができるので、原水が通過する濾過面の面積を全体として大きく得ることができる利点がある一方で、原水は、流入口からストレーナ内に流入し、濾過エレメント内部に流入した後、濾過面を通過して濾過されるが、濾過面を通過する原水の流速は濾過エレメントの上部閉塞部付近において最大であり、下部開口部付近においては小さくなる。このため、濾過面を通過する原水の流量は濾過面の部分により異なり、原水の通過流量が多い濾過エレメント上部閉塞部付近の濾過面の一次側にはいち早くスラッジが付着して目詰まりが生じ、濾過エレメント全体としての濾過能力が低下する傾向を有している。
【０００３】
また、濾過エレメントの濾過面の一次側に付着した異物（スラッジ）を二次側から濾過水により逆洗して除去する際には、濾過面を通過する逆洗水の流速は濾過用エレメントの下部開口部付近において最大であり、上部閉塞部付近においては小さくなる。このため、逆洗水の流速が小さい濾過用エレメントの上部閉塞部付近においては濾過面の一次側に付着したスラッジを洗浄する逆洗力が小さく、しかも逆洗機能が十分に発揮されないため、濾過エレメントの濾過能力を十分に回復させることができない。
【０００４】
上記のように多筒型逆洗ストレーナでは、スラッジが付着して目詰まりが生じ易い濾過エレメントの上部閉塞部付近を十分に逆洗して濾過能力を回復させることができないため、濾過エレメントの濾過能力を維持することができる期間が短くなり、しばしばストレーナの運転を中止し、ストレーナ本体内部の濾過エレメントを清掃する必要が生じる。そこで、この種のストレーナにおいて、濾過効率と逆洗効率を同時に満足したストレーナの開発が望まれており、特に、バラスト水処理用の多筒型逆洗ストレーナにおいて改良技術の開発が切望されていた。
【０００５】
これらの改良技術として、特許文献１又は特許文献２に示すストレーナ機構が提案されている。特許文献１には、一つの端面は閉鎖され、別の端面は開口を備えた円筒状のフィルタボデーの内部に、閉じた端面から端面の開口へ向かって定常的に細くなる流動要素を設けることにより、濾過面を通過する流体の流速をほぼ同一として濾過面負荷を同一にし、濾過面にスラッジを均一に付着させることができる有底円筒型濾過エレメントについて記載されている。
【０００６】
特許文献２には、スクリーン自体が管状楔形の円錐形に構成されている逆洗フィルタ装置であり、円筒型フィルタ要素に替えて少なくとも一つの円錐形管状楔形ワイヤスクリーンフィルタ要素を使用し、濾過する際の流体の抵抗を小さくすると共に、エレメントが逆洗される場合に、逆洗流により濾過面を洗浄することができる逆洗ストレーナが提案されている。
【先行技術文献】
【特許文献】
【０００７】
【特許文献１】特開昭６３−１７１６１２号公報
【特許文献２】特表２００１−５１６２７８号公報
【発明の概要】
【発明が解決しようとする課題】
【０００８】
しかしながら、特許文献１に記載された有底円筒型濾過エレメントは、濾過エレメントの内側から外側へ、又は外側から内側へ流体を通過させて濾過する際に、濾過面を通過する流体の流速をほぼ一定にして流体を濾過する濾過エレメントについて開示されている。すなわち、同文献１は、濾過について開示されているが、逆洗により濾過面の一次側に付着したスラッジを洗い流して除去する事項については開示ないし示唆されていない。
【０００９】
特許文献２に記載されたストレーナは、濾過エレメントが縦長の円錐形に形成されているため、同じ高さ及び直径で円筒型に形成した濾過用エレメントに比べると濾過面積が小さくなるとともに、ワイヤースクリーンにより濾過エレメントのフィルタ要素を円錐形に形成することは、円筒形に形成する場合よりも困難であると共に、要求する逆洗力を得ることは難しく、特に、バラスト水処理には極めた不向きなストレーナである。
【００１０】
本発明は、上記の課題点を解決するために開発したものであり、その目的とするところは、濾過能力を有効に発揮し、しかも、濾過面の一次側に付着したスラッジを除去する逆洗力を濾過エレメントの長手方向に亘って一様とすることにより、濾過面の何れの部分に付着したスラッジであっても確実に除去して濾過能力を回復することができる濾過エレメントであり、特にバラスト水処理に優れたバラスト水処理用多筒型自動逆洗式ストレーナを提供することにある。
【課題を解決するための手段】
【００１１】
上記目的を達成するため、請求項１に係る発明は、ストレーナ本体内に流入口を有する原水室と流出口を有する濾過室とを区画した仕切板に多数の連通孔を同心円上に等間隔に形成し、これらの連通孔に上端を閉塞した縦横比が１０以上の細長形状で細径筒状の濾過エレメントの下部開口部を連通させた状態で前記濾過エレメントを前記濾過室内に多数本立設固定し、前記濾過エレメントは、断面三角形状の底辺を内周に位置させた状態のウェッジワイヤを濾過エレメントの長さ方向に沿って縦方向に濾過隙間を介して並設した状態で細長円筒状に構成し、前記濾過エレメント内には、前記下部開口部に向って先細り形状に形成した長尺状の細径円錐体の上端を濾過エレメントの上端閉塞部に吊下させた状態で内蔵し、前記細径円錐体の下部端部は、前記濾過エレメントの下部開口部より上方領域に配置すると共に、前記原水室に逆洗アームを回動自在に設け、この逆洗アームの取出口を前記連通口に連通させた状態で逆洗アームをストレーナ本体に設けた排出口に連通させ、前記濾過室と前記濾過エレメント内との差圧により濾過エレメントの長さ方向に亘って逆洗力を保持するようにしたバラスト水処理用多筒型自動逆洗式ストレーナである。
【００１３】
請求項２に係る発明は、前記細径円錐体は、樹脂、木材或いは金属製であるバラスト水処理用多筒型自動逆洗式ストレーナである。
【００１５】
請求項３に係る発明は、前記濾過エレメントの内外周囲の何れか一方に保持材で固着して濾過エレメントを円筒状に保持したストレーナである。
【発明の効果】
【００１６】
本発明によると、濾過面の一次側に付着したスラッジを濾過水により逆洗して除去する際に、ストレーナ本体内の濾過室と濾過エレメント内の差圧及び前記濾過エレメント内に内蔵した細径円錐体により濾過エレメントの長さ方向に亘って一様に逆洗力を保持することができるので、長さ方向の濾過面の何れの部分に付着しているスラッジであっても確実に除去して濾過エレメントの濾過能力を回復させることができるため、稼働率及び整備性に優れたバラスト水処理用多筒型自動逆洗式ストレーナを得ることができる。
【００１７】
しかも、濾過エレメントが細長形状に形成されるため、ストレーナ本体内に複数の濾過エレメントを配置することにより、ストレーナ全体としては大きな濾過面積を確保することができると共に、配置した複数の濾過エレメントの間隔を十分に確保することにより、濾過エレメントを通過した濾過水の相互干渉による濾過能力の低下を防ぐことができるので、大きな濾過能力を有する多筒型自動逆洗式ストレーナを得ることができ、船舶のバラスト水処理によるストレーナとして好適である。
【００１８】
さらに、濾過エレメントの内部に収納した細径円錐体の下部端部を濾過エレメントの下部開口部より上方領域に配置するため、細径円錐体の下部端部が濾過エレメントの下端開口部の面積を狭めることがない。このため、濾過面を逆洗した後に濾過エレメント内を流れて下端開口部より流出する逆洗水の圧力損失は小さく、濾過面を通過する逆洗水の流速低下も小さいので、大きな逆洗力を有する多筒型自動逆洗式ストレーナを得ることができる。
また、断面三角形状の底辺を内周に位置させたウェッジワイヤを円筒状に構成して濾過エレメントを形成しているため、原水及び逆洗水が通過するウェッジワイヤ間の隙間が濾過エレメントの長さ方向に連続して形成されることにより、濾過エレメント内に配置した細径円錐体が原水及び逆洗水の流れを制御する効果を十分に発揮させることができるとともに、ウェッジワイヤ間の濾過隙間が正確に設定され、かつ濾過面の一次側に付着したスラッジを逆洗する逆洗力が大きい濾過エレメントを有する多筒型自動逆洗式ストレーナを得ることができる。この場合、断面三角形状の底辺を内周に位置させたウェッジワイヤを縦方向に濾過隙間を介して並設して円筒状に構成すると、濾過室と濾過エレメント内の差圧及び濾過エレメント内に内蔵した細径円錐体により濾過エレメントの長さ方向に亘って一様に逆洗力を保持することができるとともに、縦方向に並設されている濾過隙間との相乗効果によって、長さ方向の濾過面の何れの部分に付着しているスラッジであっても確実に除去して濾過エレメントの濾過能力を回復させることができる。
【００１９】
そして、濾過エレメントは上部を閉塞した状態で、樹脂、木材或いは金属製の細径円錐体を取付けて内部に吊下させているため、濾過面を逆洗して濾過エレメント内に流入した逆洗水は細径円錐体の表面に沿う流れに整流される。また、濾過エレメントの濾過面と細径円錐体の表面との間で形成される空間は濾過エレメントの上部閉塞部から下部開口部に向かうに従って拡大する。このため、濾過エレメント内部を流れる逆洗水の圧力損失は小さく、濾過面を通過する逆洗水の流速は濾過エレメントの長さ方向に亘って略一様になるので、逆洗力は濾過エレメントの長さ方向に亘って略一様となり、濾過面の何れの部分に付着しているスラッジであっても確実に逆洗して除去し、濾過能力を回復することができる多筒型自動逆洗式ストレーナを得ることができる。
【図面の簡単な説明】
【００２１】
【図１】本発明におけるバラスト水処理用多筒型自動逆洗式ストレーナの一実施形態を示す摸式断面図である。
【図２】ストレーナ本体内の濾過エレメントの配置状況の一例を示す模式図である。
【図３】濾過エレメントの部分外観図である。
【図４】濾過エレメントのＡ−Ａ断面を示す摸式図である。
【図５】濾過エレメントの縦方向の断面図である
【図６】容器本体内に濾過エレメントを取付けた状況を示す模式図である。
【図７】濾過エレメント取付け板により濾過エレメントを固定する状態を説明する部分拡大図である。
【図８】ウェッジワイヤを縦スロット状に使用して濾過エレメントを形成した場合の濾過面の状況を説明する模式図である。
【発明を実施するための形態】
【００２２】
図面に基づいて、本発明に係るバラスト水処理用多筒型自動逆洗式ストレーナについての実施形態の一例を具体的に説明する。
図１は、本発明における多筒型自動逆洗式ストレーナの一実施形態を示す摸式断面図である。図中、多筒型自動逆洗式ストレーナ１は、円筒形状のストレーナ本体２と、ストレーナ本体２の上部を覆う蓋体３と、ストレーナ本体２の底板４と、ストレーナ本体２内の流入口５を有する原水室６を有し、また、ストレーナ本体２内の流出口７を有する濾過室８と、ストレーナ本体２内で原水室６と濾過室８とを区画する仕切板９と、仕切板９に形成された多数の連通孔１０に連通して取付けられた複数の細径筒状の濾過エレメント１１を設け、この濾過エレメント１１をストレーナ本体２内に固定する固定板１２と、濾過エレメント１１を逆洗する逆洗機構１３と、逆洗機構１３を回動させる駆動機構１４を備えている構成である。
【００２３】
図２に示すように、仕切板９には、回転軸１５を中心とする円周上に仕切板９の上面と下面とを連通する連通孔１０が多数形成されており、各連通孔１０には濾過エレメント１１を立設して取り付ける。同図において、連通孔１０は、同心円上に等間隔に形成した多数の孔を設けている。
【００２４】
図３において、濾過エレメント１１は、ウェッジワイヤ１６を縦スロット状（濾過エレメントの長さ方向）に並べて円筒を成形した後、その円筒の外周面に金属製の保持材１７を螺旋状に巻き付けた状態で溶接し、その後、前記円筒の両端に上部取付具１８及び下部取付具１９を溶接等の適宜の方法で固着する。すなわち、図４に示すように、濾過エレメント１１は、断面三角形の底辺を内周に位置させたウェッジワイヤ１６を縦方向に配置して円筒状に構成している（図８参照）。本例では、濾過エレメント１１のウェッジワイヤ部分の外径が３４ｍｍ、長さが５００ｍｍの細径筒状に形成している。また、図４の模式断面に示すように、濾過エレメント１１を構成する断面三角形状のウェッジワイヤ１６は、外側方向に向いた頂部２０が保持材１７と溶接されており、一定間隔の濾過隙間２１を開けて並べたウェッジワイヤ１６により濾過面２２を形成している。この保持材１７は、濾過エレメント１１内周に設置してもよい。なお、濾過エレメント１１の目開きである濾過隙間２１は、原水に含まれるスラッジの性状及び大きさに合わせて適宜設定する。
【００２５】
次に、図５に示す濾過エレメント１１について説明する。濾過エレメント１１の上部取付具１８に、細径円錐体２３を挿着するための貫通孔２４が穿設され、かつ、下部取付具１９には、原水を濾過エレメント１１内に導入すると共に、逆洗水を濾過エレメント１１内から排出する流通孔２５を設け、濾過エレメント１１の下部開放口２６を形成している。
【００２６】
この細径円錐体２３は、濾過エレメント１１のウェッジワイヤ１６の上端位置を底面とする下向き円錐台形状に形成され、上部にはフランジ部を設け、細径円錐体２３の高さ２８は、細径円錐体２３の下端部２９を濾過エレメント１１の下部開口部２６より上方領域に存在させるため、ウェッジワイヤ１６の高さ３０より低く設定している。図５と図６において、濾過エレメント１１の内部に収納した細径円錐体２３の下端部２９を濾過エレメント１１の下部開口部２６より上方領域に配置し、さらに、濾過エレメント１１の上部に閉塞した状態で取付けた合成樹脂製の細径円錐体２３をエレメント１１に吊下させて内蔵している。この場合の細径円錐体２３の吊下する取付構造は、一例であり、吊下げ構造であれば、いかなる取付手法であってもよく、また、細径円錐体の材料は、合成樹脂以外に木材製、金属製でもよく、それらは実施に応じて任意である。
【００２７】
また、細径円錐体２３は、原水又は逆洗水が細径円錐体２３のテーパ面３１に沿って流れることにより、原水又は逆洗水の流れを制御するので、原水等の流れの影響により変形しない合成樹脂、木材或いは金属の非透水性の材料により形成するのが好ましい。
【００２８】
図５に示すように、下部取付具１９は、上部に鍔部３３が形成され、下部取付具１９の先端を仕切板９に設けられている連通孔１０に挿入すると鍔部３３の下面は仕切板９の上面と当接し、下部取付具１９は仕切板９に挿着されて密接状態で固着される。
【００２９】
図６に示すように、下部取付具１９を仕切板９に挿着した後、固定板１２に設けられた固定穴３４に上部取付具１８を挿着すると、濾過用エレメント１１をストレーナ本体２内に立設される。
【００３０】
図１に示す逆洗機構１３は、駆動機構１４により回転される逆洗管３８と、逆洗管３８を支える逆洗管基部３９と、逆洗管３８に固定され共に回転する逆洗アーム４０と、逆洗アーム３６の上部に設けられた摺動部４１と、逆洗水をストレーナ本体２の外部に排出する逆洗ノズル４２とから構成される。
【００３１】
図７において、摺動部４１は、逆洗アーム４０の上部に逆洗アーム４０と一体に設けられた取付基部４３と、下部を取付基部４３に挿入して作動自在に支持される摺動部材４４と、取付基部４３の上面４５と摺動部材４４に設けられた段部４６の下面４７の間に配されたコイルスプリング４８とから構成されている。このように構成されているため、摺動部４１はコイルスプリング４５により付勢され、摺動部材４４の上端面４９は常に仕切板９の下面４７に密接した状態で回動する。
【００３２】
図１において、駆動機構１４は、電動モータ５１と、電動モータ５１の回転を減速すると共に回転方向を変更する減速機構５２と、電動モータ５１の駆動力を逆洗機構１３に伝達する駆動軸５３とから構成されている。本実施例では、逆洗機構１３を電動モータ５１により回動させているが、手動による駆動機構を用いることもできる。
【００３３】
上記の様に構成された多筒型自動逆洗式ストレーナ１で原水を濾過する場合には、原水を図示しないポンプにより流入口５からストレーナ本体２内の原水室６に圧送する。ストレーナ本体２内の原水室６に圧送された原水は、仕切板９に開口している複数の連通孔１０を経由し、流通孔１０に取り付けられている複数の濾過エレメント１１内に流通孔２５を通過して流入する。
【００３４】
このとき、細径円錐体を有しない上部が閉塞された円筒形状の濾過エレメントでは、原水が一気に濾過エレメント上部の閉塞部まで吹き上がり、閉塞部に衝突することにより横方向の速度成分が生じるため、濾過面を通過する原水の流速は、濾過エレメントの上部において大きく、下部開口部付近においては小さくなる。この結果、濾過エレメントの上部付近の濾過面の一次側に早期にスラッジが付着する。
【００３５】
これに対して、本例における濾過エレメント１１では、ポンプにより圧送されて下部開放口２６から濾過エレメント１１内に吹き上がるように流入した原水は、濾過エレメント１１内に吊下されている細径円錐体２３により整流され、先細円錐体２３のテーパ面３１に沿う流れとなる。
【００３６】
細径円錐体２３のテーパ面３１は濾過エレメント１１の下部から上部へ向けて直線的に拡大しているので、テーパ面３１沿って濾過エレメント１１内を上昇する原水には、濾過エレメント１１の長さ方向に亘って同一の横方向の速度成分が生じ、その結果、濾過面２２を通過する原水の流速は濾過面２２の何れの部分においても略同一となる。
【００３７】
このため、本例における細径円錐体２３を吊下した濾過エレメント１１では、濾過面２２の一次側に付着するスラッジが特定の部位に偏在することがなく濾過面２２の全体に分布するので、濾過面２２の濾過能力を長時間維持することができる。
【００３８】
この細径円錐体２３の下端部２９が下部開放口２６の位置にあると、原水が濾過エレメント１１内に流入する前から先細円錐体２３の影響により原水に横方向の速度成分が発生し、原水が濾過エレメント１１内へスムーズに流入する妨げとなる。そのため、細径円錐体２３の下端部２９の位置を濾過エレメント１１の下部開放口２６より適宜な距離だけ上方領域に離している。
【００３９】
次いで、濾過エレメント１１内に流入した原水は、濾過面２２を通過する際に含有するスラッジを除去され、濾過水となって濾過室８に流出し、流出口７からストレーナ本体２の外部へと排出される。
【００４０】
濾過エレメント１１のうち、逆洗アーム４０の摺動部材４４と連通している濾過エレメント１１には原水が流入せず、濾過は行われない。このとき、濾過面２２の一次側に付着したスラッジを逆洗して除去するため、逆洗ノズル４２に設けられている図示しないバルブを開くと、逆洗ノズル４２を介して濾過エレメント１１の内外部が連通して差圧が発生し、ストレーナ本体２内の濾過室８に加圧された状態で存在する濾過水が、濾過面２２を通過して濾過エレメント１１の内部に流入する。流入する逆洗水は、濾過面２２の一次側に付着しているスラッジを洗い流して除去し、逆洗アーム４０、逆洗管３８、逆洗ノズル４２を経由してストレーナ本体２の外部に排出される。
【００４１】
ここで、単に、細径円錐体を有しない上部が閉塞された円筒形状の濾過エレメントの例を示すと、濾過エレメント内に流れ込んだ逆洗水はぶつかり合って乱流となると共に、濾過エレメント内の流路の断面積が一定であるため、内部を流れる逆洗水の圧力損失が大きい。このため、濾過面を通過する逆洗水の流速は、濾過面を通過してすぐに下部開放口に到達することができる濾過用エレメントの下部では速いが、濾過面を通過しても下部開放口までは距離がある上部に向かうに従って遅くなる。この結果、スラッジが厚く付着している濾過エレメントの上部付近を十分に逆洗することができず、濾過能力を十分に回復させることができない。
【００４２】
これに対して、本例における濾過エレメント１１では、内部に細径円錐体２３を吊下しているので、濾過エレメント１１内に流れ込んだ逆洗水は先細円錐体２３のテーパ面３１により下部開放口２６へ向かう流れに整流される。また、濾過エレメント１１内部の濾過面２２と細径円錐体２３のテーパ面３１との間は、濾過エレメント１１の上部から下部に向かうに従って拡大する。このため、濾過面２２を通過して濾過エレメント１１内に濾過エレメント１１内に流入した逆洗水の流路の断面積は、濾過エレメント１１の下部に近づくにしたがって拡大するので、濾過エレメント１１の内部を流れる逆洗水の圧力損失は少ない。従って、逆洗ノズル４２を介して濾過エレメント１１の内外部が連通して発生した差圧によって濾過面２２を通過する逆洗水の流速は、濾過面２２の何れの部分においても略同一となる。この結果、濾過エレメント１１の長さ方向に亘って一様な逆洗力を保持することができるので、濾過面２２の一次側に一様に分布して付着しているスラッジを満遍なく逆洗し、濾過エレメント１１の濾過能力を回復することができる。
【００４３】
また、濾過エレメント１１は、図４に示すように、断面三角形状のウェッジワイヤ１６の底辺を内周に位置させて形成しているため、逆洗水が通過するウェッジワイヤ１６、１６間の流路は先細状態で断面積が減少するので、この流路を通過する逆洗水の流速は増加し、逆洗力が大きくなる。
【００４４】
濾過面２２を逆洗する場合にも、細径円錐体２３の下端部２９が濾過エレメント１１の下部開放口２６まで伸びていると、下端部２９の存在により濾過エレメント１１から流出する逆洗水の流路が狭められ、不必要な圧力損失を発生させる原因となるので、先細円錐体２３の下端部２９の位置を濾過エレメント１１の下部開口部より適宜な距離だけ上方領域に離している。
【００４５】
本例における多筒型自動逆洗式ストレーナ１は、ストレーナ本体２内に複数の濾過エレメント１１が配置されているために濾過面積が大きく、ストレーナ本体２の大きさに比べて大きな濾過能力を有している。また、濾過エレメント１１は縦横比が１０以上と細長に形成されているため、ストレーナ本体２内に配置された各濾過エレメント１１の周囲には十分な空間を確保することができ、各濾過エレメント１１の濾過面２２を通過した濾過水が相互に干渉して濾過効率を低下させることもない。
【００４６】
この濾過エレメント１１の逆洗は、逆洗機構１３を常時作動させて濾過エレメント１１を順次逆洗してもよいし、流入口５と流出口７に圧力センサーを設け、両センサーで検知した差圧が一定の値を超えた際に濾過面２２にスラッジが付着して濾過能力が低下したと判断し、逆洗機構１３を作動させて濾過エレメント１１を順次逆洗してもよく、また、図示しないタイマーを設けて、タイマー運転を実施することも可能である。また、逆洗アーム３７の旋回方法は、一定の角速度でゆっくりと旋回させる連続的な旋回でもよいし、連通孔１０と摺動部材４４とが連通した状態で一定時間停止して逆洗し、その後次の連通孔１０まで旋回して逆洗することを繰り返す間欠的な旋回でもよい。
【００４７】
以上説明したように、本例における濾過エレメント１１内に吊下した細径円錐体２３は、濾過エレメント１１内を流れる原水及び逆洗水の長さ方向の流れを制御し、濾過面２２を通過する原水及び逆洗水の流速を濾過エレメント１１の長さ方向に亘って一定にしている。その結果、濾過面２２を通過する原水及び逆洗水の流量は濾過面２２の何れの部分において略同一となるため、濾過面２２にスラッジが不均一に付着することがなく、また逆洗水により濾過面２２の何れの部分であっても確実に逆洗することができる。
【００４８】
本発明における多筒型自動逆洗式ストレーナは、小型であっても高い濾過能力を有しており、また、その高い濾過能力を長時間維持して稼働することができると共に、濾過面の一次側にスラッジが付着して濾過能力が低下した場合には、簡単な操作により濾過面を逆洗してスラッジを確実に除去して濾過能力を回復することができるため、稼働性及び整備性に優れ、利用価値は非常に大きい。
【００４９】
本発明の多筒型自動逆洗式ストレーナは、船舶のバラスト水処理装置に設けるストレーナに適しており、小型であるために狭い船舶内への設置も容易である。また高い濾過能力と高精度な逆洗浄力とにより大量に積載しているバラスト水を迅速に濾過して有害微生物を除去し、次の処理工程に送ることができるだけでなく、濾過能力が低下した際には遠隔操作により自動的に濾過能力を回復することもできるので、バラスト水処理装置のプレフィルタとして使用するのに好適である。
【符号の説明】
【００５０】
１  多筒型自動逆洗式ストレーナ
２  ストレーナ本体
５  流入口
６  流出口
９  仕切板
１０  連通孔
１１  濾過エレメント
１３  逆洗機構
１４  駆動機構
１６  ウェッジワイヤ
２３  細径円錐体
３１  テーパ面
４０  逆洗アーム
４２  逆洗ノズル
【図１】
0005833493.tif 000002
【図２】
0005833493.tif 000003
【図３】
0005833493.tif 000004
【図４】
0005833493.tif 000005
【図５】
0005833493.tif 000006
【図６】
0005833493.tif 000007
【図７】
0005833493.tif 000008
【図８】
0005833493.tif 000009